(57)【要約】【課題】  多彩な演出や告知を行うことができるスロットマシンを提供する。【解決手段】  各メインリールユニット１１１Ｒ１、１１１Ｒ２、１１１Ｒ３と各サブリールユニット１１１Ｒａ１、１１１Ｒｂ１とを各リールＲ１、Ｒａ１、Ｒ２、Ｒｂ１、Ｒ３の中心が同一線上となるように交互に配置したことにより、遊技者が注目すべき図柄の数が増加すると共に、メインリールＲ１、Ｒ２、Ｒ３とサブリールＲａ１、Ｒｂ１とが交互に配置されているので、サブリールＲａ１、Ｒｂ１による抽選状況の告知を行ったり、多彩な演出を行うことができる。【選択図】  図１
2007090002.tif 000002
【特許請求の範囲】
【請求項１】
複数のメインリールユニットと複数のサブリールユニットとを備えたスロットマシンであって、
前記各メインリールユニットと前記各サブリールユニットとを各リールの中心が同一線上となるように交互に配置したことを特徴とするスロットマシン。
【請求項２】
前記サブリールユニットの少なくとも１つのリールの回転方向が前記メインリールユニットのリールの回転方向と逆方向であることを特徴とする請求項１に記載のスロットマシン。
【請求項３】
前記サブリールユニットのリールの幅が前記メインリールユニットのリールの幅よりも狭いことを特徴とする請求項１または２に記載のスロットマシン。
【請求項４】
前記サブリールユニットのリールを遮蔽するための遮蔽手段と、ゲームの進行状況に応じて前記リールを露出させるように前記遮蔽手段を制御する制御手段とを備えたことを特徴とする請求項１または２に記載のスロットマシン。
【請求項５】
前記サブリールユニットのリール中の隣接する複数の図柄に欠けがあり、ゲームの進行状況に応じて前記サブリールユニットのリールを回転させて図柄を表示したり隠蔽したりするように前記サブリールユニットを制御する制御手段を備えたことを特徴とする請求項１または２に記載のスロットマシン。
【請求項６】
前記サブリールユニットのリールが前記メインリールユニットのリールより径が小さく、かつ前記サブリールユニットのリールを、隣接するメインリールユニットのリールのうちの一方のリール内に格納するように前記メインリールユニット若しくは前記サブリールユニットを移動させる移動機構を備えたことを特徴とする請求項１または２に記載のスロットマシン。
【発明の詳細な説明】
【技術分野】
【０００１】
本発明は、複数のメインリールユニットと複数のサブリールユニットとを備えたスロットマシンに関する。
【背景技術】
【０００２】
スロットマシンは、並列に配置された複数（通常は三つ）のメインリールユニットを有しており、各メインリールユニットのリールが同一方向（通常は下向き）に回転するようになっている。
この種のスロットマシンにはメインリールユニットの他、サブリールユニットを備えたものが開示されている。
これは、メインリールユニットの上側にメインリールユニットのリールより径及び幅が小さなリールを有するユニットを備えたものであり、ゲームの進行状況に応じて図柄を揃えることで内部抽選の状態を告知するようになっている（例えば、特許文献１参照）。
また、メインリールユニットに隣接してメインリールユニットのリールと同一形状のリールを有するユニットを備え、同様の告知を行うものも開示されている（例えば、特許文献２参照。）。
【特許文献１】特開２００５−１０４７３７号公報
【特許文献２】特開２０００−２２５２２９号公報
【発明の開示】
【発明が解決しようとする課題】
【０００３】
しかしながら、上述した従来のスロットマシンでは、サブリールの動きが単調なため長時間遊技を行うと物足りなくなる遊技者も少なくない。
そこで、本発明の目的は、多彩な演出や告知を行うことができるスロットマシンを提供することにある。
【課題を解決するための手段】
【０００４】
上記課題を解決するため、請求項１に記載の発明は、複数のメインリールユニットと複数のサブリールユニットとを備えたスロットマシンであって、前記各メインリールユニットと前記各サブリールユニットとを各リールの中心が同一線上となるように交互に配置したことを特徴とする。
【０００５】
請求項１に記載の発明によれば、各メインリールユニットと各サブリールユニットとを各リールの中心が同一線上となるように交互に配置したことにより、遊技者が注目すべき図柄の数が増加すると共に、メインリールとサブリールとが交互に配置されているので、サブリールによる抽選状況の告知を行ったり、多彩な演出を行ったりすることができる。
【０００６】
請求項２に記載の発明は、請求項１に記載の発明において、前記サブリールユニットの少なくとも１つのリールの回転方向が前記メインリールユニットのリールの回転方向と逆方向であることを特徴とする。
【０００７】
請求項２に記載の発明によれば、サブリールユニットの少なくとも１つのリールの回転方向がメインリールユニットのリールの回転方向と逆方向であることにより、より多彩な告知や演出を行うことができる。
【０００８】
請求項３に記載の発明は、請求項１または２に記載の発明において、前記サブリールユニットのリールの幅が前記メインリールユニットのリールの幅よりも狭いことを特徴とする。
【０００９】
請求項３に記載の発明によれば、サブリールユニットのリールの幅がメインリールユニットのリールの幅よりも狭いことにより、多彩な演出や告知ができるだけでなく、メインリールとサブリールとが一目で区別することができる。
【００１０】
請求項４に記載の発明は、請求項１または２に記載の発明において、前記サブリールユニットのリールを遮蔽するための遮蔽手段と、ゲームの進行状況に応じて前記リールを露出させるように前記遮蔽手段を制御する制御手段とを備えたことを特徴とする。
【００１１】
請求項４に記載の発明によれば、サブリールユニットのリールを遮蔽するための遮蔽手段と、ゲームの進行状況に応じてリールを露出させるように遮蔽手段を制御する制御手段とを備えたことにより、抽選状況に応じた多彩な演出や告知を行うことができる。
【００１２】
請求項５に記載の発明は、請求項１または２に記載の発明において、前記サブリールユニットのリール中の隣接する複数の図柄に欠けがあり、ゲームの進行状況に応じて前記サブリールユニットのリールを回転させて図柄を表示したり隠蔽したりするように前記サブリールユニットを制御する制御手段を備えたことを特徴とする。
【００１３】
請求項５に記載の発明によれば、サブリールユニットのリール中の隣接する複数の図柄に欠けがあり、ゲームの進行状況に応じてサブリールユニットのリールを回転させて図柄を表示したり隠蔽したりするようにサブリールユニットを制御する制御手段を備えたことにより、抽選状況に応じた多彩な演出や告知を行うことができる。
【００１４】
請求項６に記載の発明は、請求項１または２に記載の発明において、前記サブリールユニットのリールが前記メインリールユニットのリールより径が小さく、かつ前記サブリールユニットのリールを、隣接するメインリールユニットのリールのうちの一方のリール内に格納するように前記メインリールユニット若しくは前記サブリールユニットを移動させる移動機構を備えたことを特徴とする。
【００１５】
請求項６に記載の発明によれば、サブリールユニットのリールを、隣接するメインリールユニットのリールのうちの一方のリール内に格納するようにメインリールユニット若しくはサブリールユニットを移動させる移動機構を備えたことにより、抽選状況に応じた多彩な演出や告知を行うことができる。
【発明の効果】
【００１６】
本発明によれば、各メインリールユニットと各サブリールユニットとを各リールの中心が同一線上となるように交互に配置したことにより、遊技者が注目すべき図柄の数が増加すると共に、メインリールとサブリールとが交互に配置されているので、サブリールによる抽選状況の告知を行ったり、多彩な演出を行ったりすることができる。
【発明を実施するための最良の形態】
【００１７】
〔実施形態１〕
本発明に係るスロットマシンの一実施の形態について図面を参照して説明する。
〔構  成〕
図１は本発明に係るスロットマシンの一実施形態を示す正面図である。
同図に示したスロットマシン１００の特徴は、複数（図では三つであるが限定されない）のメインリールユニットと複数（図では二つであるが限定されない）のサブリールユニットとを各リールＲ１、Ｒａ１、Ｒ２、Ｒｂ１、Ｒ３の中心が同一線上となるように交互に配置した点にある。すなわち、同図に示したスロットマシン１００は、図の左側から順にメインリールユニットのリールＲ１、サブリールユニットのリールＲａ１、メインリールユニットのリールＲ２、サブリールユニットのリールＲｂ１、メインリールユニットのリールＲ３が交互に配置したものである。
メインリール（リール）Ｒ１〜Ｒ３は通常のゲームに用いられ、サブリール（リール）Ｒａ１、Ｒｂ１はゲームの進行状況の告知や演出に用いられる。
【００１８】
同図において、スロットマシン１００は、筐体１０２の前面（遊技者側）に開閉自在に設けられたフロントドア１０１に上部パネル部１０３と、中部パネル部１０４と、下部パネル部１０５とを有する。筐体１０２とフロントドア１０１とで遊技装置本体としてのスロットマシン本体が構成されている。また、上部パネル部１０３、中部パネル部１０４及び下部パネル部１０５でフロントパネルが構成されている。
【００１９】
上部パネル部１０３は、演出用ランプ１０３ａと、演出用スピーカ１０３ｂ、１０３ｃと、液晶ディスプレイ等で形成され所定の演出を行うための液晶表示装置１０３ｄとを有する。
【００２０】
中部パネル部１０４の外周部には、装飾用の照明手段としての演出用ランプ１０４ａ、１０４ｂが設けられ、中央には表示手段ＷＤが設けられている。筐体１０２内に設けられているリールユニットのリールＲ１、Ｒａ１、Ｒ２、Ｒｂ１、Ｒ３を遊技者が表示手段ＷＤを介して見ることができるようになっている。リールＲ１、Ｒ２、Ｒ３は図の上から下方向にのみ回転するが、リールＲａ１、Ｒｂ１は上から下方向には限定されず、下から上方向に回転したり、揺動したり、停止したりできるようになっている。
【００２１】
中部パネル部１０４の下端には、遊技者が操作するための操作部１０４ｃが設けられ、操作部１０４ｃには、遊技メダルを投入するためのメダル投入口ＭＤと、１ゲーム当たりのメダル数を提示するためのベットボタンＢ１、Ｂ２、Ｂ３と、１ゲームの開始を指示するためのスタートレバーＳＴと、回転中のリールＲ１、Ｒ２、Ｒ３を個別に停止させるためのストップボタンＳＰ１、ＳＰ２、ＳＰ３とが設けられている。
回転中のリールＲａ１、Ｒｂ１は遊技者が個別に停止させることはできず、ゲームの進行状況に応じて停止するようになっている。
【００２２】
リールＲ１、Ｒａ１、Ｒ２、Ｒｂ１、Ｒ３は、リング状の部材であり、その外周面には複数種類の図柄（入賞役、演出、告知を構成するための図柄等）を印刷したリールテープが貼付されたものである。各リールＲ１、Ｒａ１、Ｒ２、Ｒｂ１、Ｒ３は、スロットマシン１００の前面に設けられた表示手段ＷＤ（例えば、透明アクリル板若しくは透明ガラス）から、上下に連続する十五の図柄が見えるように配置されている。
【００２３】
スロットマシン１００は、遊技者により遊技メダル投入後、操作部１０４ｃのベットボタンＢ１〜Ｂ３、スタートボタンＳＴ、ストップボタンＳＰ１〜ＳＰ３の操作が行われることにより、リールＲ１、Ｒａ１、Ｒ２、Ｒｂ１、Ｒ３が図示しない六つのモータによってそれぞれ回転されることで、リールＲ１、Ｒ２、Ｒ３上の図柄は、所定の速度で表示手段ＷＤ内で上から下に移動表示され、内部抽選に従って入賞もしくは外れが決定されるようになっている。同様に、リールＲａ１、Ｒｂ１上の図柄は、所定の速度で表示手段ＷＤ内で上から下若しくは下から上に移動表示され、入賞もしくは外れに応じた演出や告知を行うようになっている。
【００２４】
ここで、入賞役としては、例えば特別役、複数種類の小役、及びリプレイ（ＲＥＰＬＡＹ再遊技役）が挙げられる。特別役とは、通常遊技から特別遊技（遊技者にとって有利な遊技）に移行させる役である。この特別役としては、例えばビッグボーナス（ＢＢ）やレギュラーボーナス（ＲＢ）が挙げられる。
【００２５】
ビッグボーナスとは、特別遊技の１つであるビッグボーナスゲームに移行させる役である。ビッグボーナスゲームとは、所定回数内の通常遊技を行うとともに、この通常遊技中に一定条件下でボーナスゲームを所定回行うことができるようにしたものである。さらに、このボーナスゲームとは、所定役が高確率で当選する遊技を一定条件下で所定回数行うものである。これに対し、レギュラーボーナスとは、特別遊技の１つであるレギュラーボーナスゲームに移行させる役である。レギュラーボーナスゲームとは、ビッグボーナスゲーム中のボーナスゲームを１回行うものである。
【００２６】
また、小役とは、予め定めた枚数のメダルの払い出しを行う役である。さらにまた、リプレイとは、その遊技でのメダルの投入枚数（ベット枚数）を維持した再遊技が行えるようにした役である。
【００２７】
以上の各種役に対応する、リールＲ１、Ｒ２、Ｒ３の図柄の組み合わせが予め定められている。また、入賞もしくははずれに応じた告知に対応するリールＲａ１、Ｒｂ１の組み合わせも予め定められている。さらに、演出としては例えば、リールＲａ１、Ｒｂ１の回転方向を下から上に回転させたり、上下に交互に回動（揺動）させたりすることが挙げられる。そして、全てのリールＲ１〜Ｒ３の停止時に、有効ラインに停止した図柄の組み合わせが予め定められた役の図柄の組み合わせと一致するときは、その役の入賞となり、メダルの払い出し等、成立役に応じた利益が遊技者に与えられる。
【００２８】
液晶表示装置１０３ｄの液晶には、ネマティック液晶、スメクティック液晶、コレステリック液晶、ディスコティック液晶のいずれを用いてもよい。液晶表示装置１０３ｄは視認性を向上させるため、背面（筐体側）には図示しない照明手段、例えば、ＥＬ（Electro Luminescence）や蛍光灯が配置されている。
【００２９】
下部パネル部１０５は、本スロットマシン１００のゲーム内容を紹介等するためのイラスト等（図示略）が描かれ演出用ランプで照明される下部パネル部１０６と、遊技者の獲得した枚数の遊技メダルを払い出すための排出口１０５ａ及び受皿１０５ｂと、演出用スピーカ１０５ｃとを有する。
【００３０】
図２は図１に示したスロットマシン１００のフロントドア１０１を全開した状態を示す展開図である。
図２において、フロントドア１０１の裏面上部両側に演出用スピーカ１０３ｂ、１０３ｃが設けられ、演出用スピーカ１０３ｂ、１０３ｃの間に液晶表示装置１０３ｄが設けられている。液晶表示装置１０３ｄの裏面側（図では手前側）には、電気回路基板で形成されたサブ制御基板１０８が取り付けられている。
【００３１】
フロントドア１０１の中央部には表示手段ＷＤが設けられ、フロントドア１０１の裏面下部には演出用スピーカ１０５ｃが設けられている。
【００３２】
１０７は、長尺状の電気回路基板で形成された中央表示基板である。中央表示基板１０７には設定ボタンＣＳ及び設定表示素子ＣＴが設けられている。中央表示基板１０７の下には後述するセレクト機構ＧＯが設けられている。
筐体１０２の中央には、左から各リールユニット１１１Ｒ１、１１１Ｒａ１、１１１Ｒ２、１１１Ｒｂ１、１１１Ｒ３がこの順で設けられており、これらのリールユニット１１１Ｒ１、１１１Ｒａ１、１１１Ｒ２、１１１Ｒｂ１、１１１Ｒ３は、リールＲ１、Ｒａ１、Ｒ２、Ｒｂ１、Ｒ３とこれらリールＲ１、Ｒａ１、Ｒ２、Ｒｂ１、Ｒ３を回転駆動するモータ（例えば、ステッピングモータ、図示略）とを備えた装置である。
【００３３】
ＰＷＵは主電源装置であり、この主電源装置ＰＷＵには電源装置基板が取り付けられている。リールユニット１１１Ｒ１、１１１Ｒａ１、１１１Ｒ２、１１１Ｒｂ１、１１１Ｒ３の上端には回胴装置基板１１０が取り付けられ、リールユニット１１１Ｒ１、１１１Ｒａ１、１１１Ｒ２、１１１Ｒｂ１、１１１Ｒ３の上方には主制御基板１０９が取り付けられている。
【００３４】
中央表示基板１０７、サブ制御基板１０８、主制御基板１０９、回胴装置基板１１０、及び電源装置基板は、導電性配線パターンの形成された絶縁性樹脂基板上に集積回路装置（ＩＣ）やトランジスタ、抵抗、コンデンサ等の電子部品が搭載されて配線接続されたプリント回路板（いわゆる電気回路基板）として形成されている。
【００３５】
図３は図１に示したスロットマシン１００のブロック図の一例である。
図３において、主制御基板１０９は、本スロットマシン１００（図１参照）の動作を統括管理するために設けられたものであり、主制御基板１０９を中心としてサブ制御基板１０８、中央表示基板１０７、及び回胴装置基板１１０が接続されている。尚、電源関係については、説明を簡単にするため省略したが当業者に周知の手段が採用できる。
【００３６】
主制御基板１０９には、半導体メモリＲＯＭと、マイクロプロセッサＭＰＵとが搭載されており、そのマイクロプロセッサＭＰＵが、半導体メモリＲＯＭに予め記憶されているシステムプログラムとスロットマシンゲーム用のプログラムを実行し、各基板１０７、１０８、１１０を制御することによって、本スロットマシン１００の動作状況とゲームの進行（抽選）とを統括管理する。
【００３７】
サブ制御基板１０８には、半導体メモリＲＯＭと、マイクロプロセッサＭＰＵとが搭載され、演出用ランプ１０３ａ、１０４ａ、１０４ｂと、演出用スピーカ１０３ｂ、１０３ｃ、１０５ｃと、液晶表示装置１０３ｄとが接続されている。
【００３８】
サブ制御基板１０８に設けられている電気回路が、主制御基板１０９からの指示に従ってこれら演出用ランプ１０３ａ、１０４ａ、１０４ｂ、演出用スピーカ１０３ｂ、１０３ｃ、１０５ｃ、液晶表示装置１０３ｄを駆動することにより遊技者の視覚や聴覚に訴える演出を行うようになっている。
【００３９】
回胴装置基板１１０にはメインリールユニット１１１Ｒ１、サブリールユニット１１１Ｒａ１、メインリールユニット１１１Ｒ２、サブリールユニット１１１Ｒｂ１、メインリールユニット１１１Ｒ３が接続されており、主制御基板１０９からの指示に従ってモータへの駆動電力と駆動タイミングとを制御することにより、各リールユニット１１１Ｒ１、１１１Ｒａ１、１１１Ｒ２、１１１Ｒｂ１、１１１Ｒ３の各リールＲ１、Ｒａ１、Ｒ２、Ｒｂ１、Ｒ３（図１参照）の回転、制動、及び停止の制御を行う。
【００４０】
中央表示基板１０７には前述した設定表示素子ＣＴと設定ボタンＣＳとが接続され、更にセレクト機構Ｇ０、ベットボタンＢ１、Ｂ２、Ｂ３、スタートレバーＳＴ、ストップボタンＳＰ１、ＳＰ２、ＳＰ３が接続されている。
【００４１】
中央表示基板１０７は、ベットボタンＢ１、Ｂ２、Ｂ３、スタートレバーＳＴ、及びストップボタンＳＰ１、ＳＰ２、ＳＰ３がそれぞれオン操作されたことを示す操作信号（符号略）を主制御基板１０９中のマイクロプロセッサＭＰＵに転送し、ゲームの進行を制御させる。
【００４２】
また、設定ボタンＣＳは、事業者や管理者がメダル掃き出し確率（いわゆる機械割り）を設定変更するために設けられており、設定表示素子ＣＴは、１から６までの何れかの数字をセグメント表示（ＬＥＤ表示でもよい）することにより、設定ボタンＣＳによって設定変更されたメダル掃き出し確率を段階表示する。セレクト機構ＧＯは、メダル投入口ＭＤ（図１参照）から投入された投入物を遊技メダルか異物かを光学センサ、機械センサもしくは磁気センサにより検知する。
なお、本スロットマシン１００（図１参照）の通常のゲームにおける制御については、公知の技術であるので省略する（例えば、特許文献１参照）。
【００４３】
〔動  作〕
次に図１に示したスロットマシン１００の動作について図４（ａ）〜（ｅ）を参照して説明する。
図４（ａ）はメインリールユニットのリールＲ１、Ｒ２、Ｒ３の中段の有効ラインＬ２上にのみ７の図柄が揃った状態を示し、図４（ｂ）は全リールＲ１、Ｒａ１、Ｒ２、Ｒｂ１、Ｒ３における中段の有効ラインＬ２上に７の図柄が全て揃った状態を示し、図４（ｃ）はメインリールユニットのリールＲ１、Ｒ２、Ｒ３の右上がりの有効ラインＬ４上にのみ７の図柄が揃った状態を示し、図４（ｄ）は全リールＲ１、Ｒａ１、Ｒ２、Ｒｂ１、Ｒ３の右上がりの有効ラインＬ４上に７の図柄が揃った状態を示し、図４（ｅ）は全リールＲ１、Ｒａ１、Ｒ２、Ｒｂ１、Ｒ３のＶ字ラインＬ６上に７の図柄が揃った状態を示している。尚、図中Ｌ１〜Ｌ５は有効ラインを示す。
【００４４】
遊技者により遊技メダルがメダル投入口ＭＤに投入された後、操作部１０４ｃのベットボタンＢ１〜Ｂ３のいずれか、例えばベットボタンＢ３が押され、スタートボタンＳＴが押されるとゲームが開始して内部抽選が行われる。
この内部抽選により、例えばビッグボーナスに入賞した場合、遊技者がストップボタンＳＰ１、ＳＰ２、ＳＰ３をこの順番で押すことにより、例えば図４（ａ）に示すように白色の７（図では白抜きの７）の図柄がメインリールユニットのリールＲ１、Ｒ２、Ｒ３上の中段の有効ラインＬ２（他の有効ラインでもよい）上に並び、所定の枚数のメダルが排出口１０５ａから受皿１０５ｂ（図１参照）に払い出される。
【００４５】
しかし、内部抽選によりビッグボーナスが入賞した場合であっても特定の色の図柄の組み合わせに対応したビッグボーナス（スーパービッグボーナスと呼称）の場合、例えば、赤色の７の図柄が揃う場合には有効ラインＬ２（他の有効ラインでもよい）上のサブリールにも赤色の７の図柄が並び、有効ラインＬ２上に都合五つの７の図柄が並ぶことになる（図４（ｂ）参照）。このような場合、メダルの払い出し枚数は通常のビッグボーナスの場合と変わらないが、ＡＴ（アシストタイム；特定ゲーム数の間、小役の成立をランプ等にてアシスト制御する機能）が付加される演出が行われるので、遊技者にとって満足度が向上する。
【００４６】
一方、内部抽選によりビッグボーナスに入賞した場合、遊技者がストップボタンＳＰ１、ＳＰ２、ＳＰ３をこの順番で押すことにより、例えば図４（ｃ）に示すように白色の７の図柄がメインリールユニットのリールＲ１、Ｒ２、Ｒ３上の右上がりの有効ラインＬ４上に揃った場合、所定の枚数のメダルが排出口１０５ａから受皿１０５ｂ（図１参照）に払い出される。
【００４７】
しかし、内部抽選によりビッグボーナスが入賞した場合であっても特定のビッグボーナス（スーパービッグボーナス）の場合、例えば、赤色の７の図柄が揃う場合には有効ラインＬ４上のサブリールにも赤色の７の図柄が並び、有効ラインＬ４上に都合五つの７の図柄が並ぶことになる。この場合、サブリールユニットのリールＲａ１、Ｒｂ１は１コマではなく約半コマずれた状態で停止する（図４（ｄ）参照）。
【００４８】
また、図４（ｅ）に示すようにＶ字ラインＬ６上に７の図柄が揃った場合には、メインリールユニットのリールＲ１、Ｒ２、Ｒ３の７の図柄は有効ラインＬ１〜Ｌ５上には無いのでメダルの払い出しは行われないが、役当選の告知であることを表している。この告知により遊技者が期待値が高くなっていることを把握することができる。また、リールＲ１、Ｒａ１、Ｒ２、Ｒｂ１、Ｒ３により告知されるので、演出用ランプ１０３ａ、１０４ａ、１０４ｂ（図１参照）による告知の場合に比べて遊技者が見落とすことが無くなる。
【００４９】
ここで、各メインリールユニットのリールＲ１、Ｒ２、Ｒ３は上から下への一方向しか回転できないが、サブリールユニットのリールＲａ１、Ｒｂ１は、上から下へ回転するだけでなく、下から上へ同時に逆方向に回転したり、上下に揺動（減衰振動、単振動）したり、それぞれ個別に回転、揺動、停止したりすることができ、多彩な演出や告知を行うことができる。
すなわち、図１に示したスロットマシン１００は、サブリールユニットの少なくとも１つのリール（Ｒａ１、Ｒｂ１のいずれか一方若しくは両方）の回転方向がメインリールユニットのリールＲ１、Ｒ２、Ｒ３の回転方向と独立した動作を行うことができる。
また、サブリールユニットのリールＲａ１、Ｒｂ１は、メインリールユニットのリールＲ１、Ｒ２、Ｒ３が停止する前に停止したり、メインリールユニットのリールＲ１、Ｒ２、Ｒ３が停止した後に停止したり、メインリールユニットのリールＲ１、Ｒ２、Ｒ３が停止した後所定時間（数秒）経過後再度回転し停止したりする演出を行ってもよい。
【００５０】
〔実施形態２〕
本発明に係るスロットマシンの他の実施の形態について図面を参照して説明する。
図５は本発明に係るスロットマシンの他の実施の形態を示す正面図である。図６は図５に示したスロットマシン５００のフロントドア１０１を全開した状態を示す展開図である。以下、図１〜図４に示した部材と同様の部材には共通の符号を用いた。
図６に示したスロットマシン５００の図１に示したスロットマシン１００との相違点は、サブリールユニットのリールＲａ２、Ｒｂ２の幅がメインリールユニットのリールＲ１、Ｒ２、Ｒ３の幅よりも狭い点である。
図６に示すサブリールユニット１１１Ｒａ２、１１１Ｒｂ２のリールＲａ２、Ｒｂ２の幅は、メインリールユニットのリールＲ１、Ｒ２、Ｒ３の幅より狭く、かつリールＲ１、Ｒ２、Ｒ３の図柄の幅（例えば、３５ｍｍ）以上であればよい。
図５、６に示したスロットマシン５００の構成や動作については図１に示したスロットマシン１００と同様のため、説明を省略するが、リールＲａ２、Ｒｂ２の幅がリールＲ１、Ｒ２、Ｒ３の幅よりも狭いことにより、メインリールＲ１、Ｒ２、Ｒ３とサブリールＲａ２、Ｒｂ２とを一目で区別することができる。
【００５１】
〔実施形態３〕
本発明に係るスロットマシンの他の実施の形態について図面を参照して説明する。
図７は本発明に係るスロットマシンの他の実施形態を示す正面図である。図８は図７に示したスロットマシン７００のフロントドア１０１を全開した状態を示す展開図である。図９は図７に示したスロットマシン７００のブロック図の一例である。
図７に示したスロットマシン７００の図１に示したスロットマシン１００との相違点は、サブリールユニット１１１Ｒａ３、１１１Ｒｂ３（図８参照）のリールＲａ３、Ｒｂ３を遮蔽するための遮蔽手段としての液晶シャッタ７０１、７０２と、ゲームの進行状況に応じてリールＲａ３、Ｒｂ３を露出させるように遮蔽手段７０１、７０２を制御する制御手段とを備えた点である。
【００５２】
すなわち、スロットマシン７００は、図８に示すように各メインリールユニット１１１Ｒ１、１１１Ｒ２、１１１Ｒ３と各サブリールユニット１１１Ｒａ３、１１１Ｒｂ３とを各リールＲ１〜Ｒ３、Ｒａ３、Ｒｂ３の中心が同一線上となるように交互に配置すると共に、サブリールユニット１１１Ｒａ３、１１１Ｒｂ３のリールＲａ３、Ｒｂ３を遮蔽するための液晶シャッタ７０１、７０２と、ゲームの進行状況に応じてリールＲａ３、Ｒｂ３を露出させるように液晶シャッタ７０１、７０２を制御する制御手段としてのサブ制御基板１０８（図９参照）とを備えたものである。
【００５３】
液晶シャッタ７０１、７０２は、例えばサブ制御基板１０８から電圧が印加されると光を透過し、電圧が印加されないと光を遮断する機能を有しており、フロントドア１０１の表示手段ＷＤの内側（リールユニット側）のリールＲａ３、Ｒｂ３を覆うように設けられている。液晶シャッタ７０１、７０２は、図示しないケーブルでサブ制御基板１０８に接続されている。液晶シャッタ７０１、７０２の液晶には、前述した液晶表示装置１０３ｄと同様にネマティック液晶、スメクティック液晶、コレステリック液晶、ディスコティック液晶のいずれを用いてもよい。
【００５４】
スロットマシン７００は、液晶シャッタ７０１、７０２と、サブ制御基板１０８とを備えたことにより、抽選状況に応じた告知や演出を行うことができる。
尚、本実施形態では遮蔽手段として液晶シャッタ７０１、７０２を用いた場合で説明したが、本発明はこれに限定されるものではなく、ブラインド、片開き戸、引き込み戸構造の機械的な遮蔽手段を用いてもよい。
【００５５】
〔実施形態４〕
本発明に係るスロットマシンの他の実施の形態について図面を参照して説明する。
図１０は本発明に係るスロットマシンの他の実施形態を示す正面図である。図１１は図１０に示したスロットマシン１０００のフロントドア１０１を全開した状態を示す展開図である。図１２は図１０に示したスロットマシン１０００のブロック図の一例である。
図１０に示したスロットマシン１０００の図１に示したスロットマシン１００との相違点は、サブリールユニットのリールＲａ４、Ｒｂ４中の隣接する複数（例えば三つ）の図柄に欠けがあり、ゲームの進行状況に応じてサブリールユニット１１１Ｒａ４、１１１Ｒｂ４のリールＲａ４、Ｒｂ４を回転させて図柄を表示したり隠蔽したりするようにサブリールユニットを制御する制御手段としてのサブ制御基板１０８を備えた点である。
【００５６】
スロットマシン１０００は、通常はサブリールユニット１１１Ｒａ４、１１１Ｒｂ４のリールＲａ４、Ｒｂ４の図柄の欠けた部分が表示手段ＷＤに表示されるようにリールＲａ４、Ｒｂ４が停止している。
サブリールユニット１１１Ｒａ４、１１１Ｒｂ４が作動するのは、告知及び演出の際である。すなわち、実施形態１と同様にメインリールユニット１１１Ｒ１、１１１Ｒ２、１１１Ｒ３の各リールＲ１、Ｒ２、Ｒ３の同一の図柄が有効ライン上に揃ったときに、サブリールユニット１１１Ｒａ４、１１１Ｒｂ４のリールＲａ４、Ｒｂ４の有効ライン上に同一の図柄が揃うような告知を行ったり、サブリールユニット１１１Ｒａ４、１１１Ｒｂ４が逆回転したり、揺動したりするような演出を行ったりする場合である（図４（ａ）〜（ｅ）参照）。
【００５７】
〔実施形態５〕
本発明に係るスロットマシンの他の実施の形態について図面を参照して説明する。
図１３は本発明に係るスロットマシンの他の実施形態を示す正面図であり、図１４は図１３に示したスロットマシン１３００の演出中若しくは告知中の正面図である。図１５は図１３に示したスロットマシン１３００のフロントドア１０１を全開した状態を示す展開図であり、図１６は図１４に示したスロットマシン１３００のフロントドア１０１を全開した状態を示す展開図である。図１７（ａ）は図１５に示したメインリールユニット近傍の部分拡大図であり、図１７（ｂ）は図１７（ａ）のXVIIｂ−XVIIｂ線断面図であり、図１７（ｃ）は図１７（ｄ）のXVIIｃ−XVIIｃ線断面図であり、図１７（ｄ）は図１６に示したメインリールがサブリール側に移動した状態を示す部分拡大図である。図１８は図１３に示したスロットマシン１３００のブロック図の一例である。尚、図１７（ａ）〜（ｄ）において説明上遮蔽板１５５３、１５５４は二点鎖線で示されている。
【００５８】
図１３、１４に示したスロットマシン１３００の図１に示したスロットマシン１００との相違点は、サブリールユニットのリールＲａ５、Ｒｂ５がメインリールユニットのリールＲ１、Ｒ２、Ｒ３より径が小さく、かつサブリールユニットのリールＲａ５、Ｒｂ５を、隣接するメインリールユニットのリールＲ１、Ｒ３内に入出させるようにメインリールユニットを移動させる移動機構を備えた点である。スロットマシン１３００は通常時には図１３に示すようにメインリールＲ１、Ｒ２、Ｒ３のみ表示され、リールＲａ５、Ｒｂ５は遮蔽板１５５３、１５５４で覆われており、告知中や演出中には遮蔽板１５５３、１５５４がサブリールユニット１１１Ｒａ５、１１１Ｒｂ５ごと移動機構により移動して図１４に示すようにリールＲａ５、Ｒｂ５が露出するようになっている。
【００５９】
〔構成〕
図１５、１６に示すスロットマシン１３００において、メインリールユニット１１１Ｒ１を移動させる移動機構１５０１と、メインリールユニット１１１Ｒ３を移動させる移動機構１５０２とが示されている。メインリールユニット１１１Ｒ２及びサブリールユニットＲａ５、Ｒｂ５は位置が固定されている。すなわち、スロットマシン１３００は、メインリールユニット１１１Ｒ１及びメインリールユニット１１１Ｒ３が左右方向に移動できるようになっている。尚、１５２３ａ、１５２３ｂ、１５２３ｃ、１５２３ｄは後述するマイクロスイッチである。
【００６０】
図１７（ａ）、（ｂ）に示すモータ（直流モータ若しくはステッピングモータ）１５０３は、例えば支持棚１５２６と、支持棚１５２６上に載置され着脱自在な板状部材１５２７とにボルト１５２８〜１５３１及びナット１５３２〜１５３５により出力軸が支持棚１５２６に対して垂直になるように固定されている（メインリールユニット１１１Ｒ１を本体から外すときはボルト１５２８〜１５３１及びモータ１５０３を外すことになる。）。
ここで、ナット１５３２〜１５３５は、板状部材１５２７に形成された六角穴内に埋め込まれているため、ボルト１５２８〜１５３１をドライバ（図示せず）で回しやすくなっているが、本発明はこれに限定されるものではなく、平らな板状部材１５２７上にナット１５３２〜１５３５を配置するようにしてもよい。
【００６１】
モータ１５０３は、出力軸が支持棚１５２６及び板状部材１５２７の貫通孔を貫通するように固定されており、出力軸にはウォーム１５０５が固定されている。板状部材１５２７上には一対のレール１５１０、１５１１が支持棚１５２６の長手方向に沿って平行に配置されている。板状部材１５２７上にはレール１５１０、１５１１と平行になるように送りネジ１５０７の両端が軸受け１５４０、１５４１で固定されている。送りネジ１５０７にはウォームホイール１５０６が同軸になるように固定され、かつウォームホイール１５０６とウォーム１５０５とでウォームギヤを構成している。
【００６２】
レール１５１０、１５１１上には台車１５０９が配置され、台車１５０９は車輪１５１２〜１５１５によりレール１５１０、１５１１に沿って移動できるようになっている。台車１５０９の裏面にはナット１５０８が例えば接着剤で固定されており、かつナット１５０８は送りネジ１５０７と螺合するようになっている。尚、ナット１５０８の代わりにボールネジを用いてもよい。
台車１５０９上には支持板（図では台形状であるが限定されない）１５１６が台車１５０９に対して垂直に固定されている。支持板１５１６の中央部にはリールＲ１を回転させるためのモータ１５２０が固定されており、支持板１５１６の上部には軸受けを介して車輪１５１７が設けられている。車輪１５１７の上方には支持棚１５１９が配置されており、支持棚１５１９の裏面には支持棚１５１９の長手方向に沿って平行なレール１５１８が固定されている。車輪１５１７は、レール１５１８に沿って回転することにより移動がスムーズにできると共に、メインリールユニット１１１Ｒ１が転倒するのを防止するようになっている。
【００６３】
台車１５０９上のレール１５１０、１５１１の間にはマイクロスイッチ１５２３ａ、１５２３ｂが設けられている。台車１５０９の底面には凸部１５２４が設けられている。マイクロスイッチ１５２３ａ、１５２３ｂは台車１５０９が移動する際の始点及び終点においてレバー（図示せず）が凸部１５２４と接触するように配置されている。凸部１５２４がマイクロスイッチ１５２３ａ（１５２３ｂ）のレバーと接触することにより、マイクロスイッチ１５２３ａ（１５２３ｂ）からオン信号は発せられるようになっている。
１５４２、１５４３はリールＲ１、Ｒａ５を照明するための照明ランプである。
【００６４】
これらモータ１５０３、ウォーム１５０５、ウォームホイール１５０６、送りネジ１５０７、ナット１５０８、レール１５１０、１５１１、台車１５０９、及び支持板１５１６で移動機構が構成されている。
【００６５】
ここで、移動機構１５０１においてウォーム１５０５及びウォームホイール１５０６を用いる代わりに斜交傘歯車、はすば傘歯車、フェースギヤ、まがりば傘歯車、ハイポイドギヤ、すぐば傘歯車、ゼロールベベルギヤ、ねじ歯車を用いてもよい。
１５５３はメインリールユニット１１１Ｒ１が図１７（ａ）において右側に移動したときに内部が遊技者に見えないように覆う遮蔽板である。
メインリールユニット１１１Ｒ１は、サブリールユニット１１１Ｒａ５と一体化されており、モータ１５０３を外した後でノブ１５５０、１５５１を引くことにより移動機構ごと取り出すことができるようになっている。
メインリールユニット１１１Ｒ３もメインリールユニット１１１Ｒ１と同様の構成を有している。
尚、モータ１５２０や照明ランプ１５４２、１５４３は、図１７のブロック図には示されていないが、メインリールユニット１１１Ｒ１に含まれている。他のモータ１５２１、１５２２も同様である。
【００６６】
図１８に示したブロック図と図３に示したブロック図との相違点は、サブ制御基板１０８にモータ１５０３、１５０４及びマイクロスイッチ１５２３ａ、１５２３ｂ、１５２３ｃ、１５２３ｄが接続された点である。
【００６７】
〔動作〕
次に移動機構１５０１のうちのメインリールユニット１１１Ｒ１の動作について説明する。
スロットマシン１３００は、通常時（例えば、待機時、メダル投入〜スタートレバー押し下げ前）は図１３に示すようにメインリールＲ１、Ｒ２、Ｒ３のみ露出しており、リールＲａ５、Ｒｂ５（図１４参照）が遮蔽板１５５３、１５５４で遮蔽されている。この状態でのメインリールユニット１１１Ｒ１の位置（図１７（ａ））をホームポジションとする。
【００６８】
これに対して、告知時や演出時（例えば、ビッグボーナス、子役等の内部当選時若しくはメダル払い出し時）にはサブ制御基板１０８（図１８参照）からの指示により、回胴置基板１１０（図１８参照）から図１７（ａ）、（ｂ）に示すモータ１５０３に駆動電圧が印加される。駆動電圧がモータ１５０３に印加されるとモータ１５０３が回転してウォーム１５０５が回転する。ウォーム１５０５が回転すると、ウォーム１５０５の回転力がウォームホイール１５０６に伝達されて、水平な回転軸を中心としてウォームホイール１５０６が回転する。ウォームホイール１５０６が回転すると、ウォームホイール１５０６に固定された送りネジ１５０７が回転する。送りネジ１５０７とナット１５０８とは対偶の関係にあるので、送りネジ１５０７が回転すると、送りネジ１５０７の回転運動がナット１５０８の直線運動（図１７（ａ）では左方向の直線運動）に変換される。ナット１５０８は台車１５０９に固定されているので、台車１５０９はレール１５１０、１５１１に沿って左向きに移動する。
【００６９】
台車１５０９が左向きに移動すると、リールＲａ５を覆っていたリールＲ１も共に左向きに移動して図１７（ｄ）に示すようにリールＲａ５が露出し、台車１５０９の凸部１５２４が終点の位置にあるマイクロスイッチ１５２３ａのレバー（図示せず）に接触する。
凸部１５２４がマイクロスイッチ１５２３ａのレバーに接触すると、マイクロスイッチ１５２３ａからサブ制御基板１０８（図１８参照）にオン信号（例えば、１論理レベルの電圧）が印加される。サブ制御基板１０８は、マイクロスイッチ１５２３ａからのオン信号が印加されると、台車１５０９が停止位置（終点）に到達したものと判断し、回胴装置基板１１０にモータ１５０３への駆動電圧の印加を停止させ、台車１５０９が停止する。
【００７０】
台車１５０９が停止した状態でリールユニット１１１Ｒ１、１１１Ｒａ５及び他のリールユニット１１１Ｒ２、１１１Ｒｂ５、１１１Ｒ３が所定の告知動作若しくは演出動作を行った後、サブ制御基板１０８は回胴装置基板１１０に指示を出してモータ１５０３を逆回転させるための駆動電圧を印加させる。
駆動電圧がモータ１５０３に印加されるとモータ１５０３が逆回転してウォーム１５０５が逆回転する。ウォーム１５０５が逆回転すると、ウォーム１５０５の回転力がウォームホイール１５０６に伝達されて、水平な回転軸を中心としてウォームホイール１５０６が逆回転する。ウォームホイール１５０６が逆回転すると、ウォームホイール１５０６に固定された送りネジ１５０７が逆回転する。送りネジ１５０７が逆回転すると、送りネジ１５０７の回転運動がナット１５０８の直線運動（図１７（ｄ）では右方向の直線運動）に変換される。ナット１５０８は台車１５０９に固定されているので、台車１５０９がレール１５１０、１５１１に沿って右向きに移動する。
【００７１】
台車１５０９が右向きに移動すると、凸部１５２４がマイクロスイッチ１５２３ａのレバーから離れ、マイクロスイッチ１５２３ａからサブ制御基板１０８へのオン信号は消滅する。サブ制御基板１０８は台車１５０９が終点位置から離れたものと判断する。メインリールユニット１１１Ｒ１は右向きに移動して、図１７（ａ）に示すようにリールＲ１がリールＲａ５を覆い、台車１５０９の凸部１５２４が始点の位置にあるマイクロスイッチ１５２３ａのレバーに接触する。
【００７２】
凸部１５２４がマイクロスイッチ１５２３ｂのレバーに接触すると、マイクロスイッチ１５２３ｂからサブ制御基板１０８にオン信号（この場合、１論理レベルの電圧）が印加される。サブ制御基板１０８は、マイクロスイッチ１５２３ｂからのオン信号が印加されると、台車１５０９の停止位置（始点：ホームポジション）に到達したものと判断し、回胴装置基板１１０にモータ１５０３への駆動電圧の印加を停止させ、台車１５０９が停止する。
なお、メインリールユニット１１１Ｒ３の動作についてはメインリールユニット１１１Ｒ１と同様であるので、説明を省略する。また、送りネジ１５０７については全長にわたってネジ溝が形成されているが、本発明はこれに限定にされずナット１５０８が移動する範囲内のみ形成されていてもよい。
【００７３】
ここで、本実施形態ではメインリールユニットが移動する場合で説明したが、本発明はこれに限定されるものではなく、サブリールユニットが移動するように構成してもよい。また、本実施形態ではサブリールユニットの数が２個の場合で説明したが、本発明はこれに限定されるものではなく、３個以上であってもよい。さらに、本実施形態ではマイクロスイッチでメインリールユニットの位置を検出したが、本発明はこれに限定されずポテンショメータを用いて位置検出を行ってもよい。
【００７４】
なお、上述した各実施形態は、本発明の好適な実施形態であり、上記実施形態のみに本発明の範囲を限定するものではなく、本発明の要旨を逸脱しない範囲において種々の変更を施した形態での実施が可能である。例えば、ゲームの進行状況に応じてサブリールユニット若しくはメインリールユニットのいずれか一方を昇降させるように構成してもよい。
【図面の簡単な説明】
【００７５】
【図１】本発明に係るスロットマシンの一実施形態を示す正面図である。
【図２】図１に示したスロットマシン１００のフロントドア１０１を全開した状態を示す展開図である。
【図３】図１に示したスロットマシン１００のブロック図の一例である。
【図４】（ａ）はメインリールユニットのリールＲ１、Ｒ２、Ｒ３の中段の有効ラインＬ２上にのみ７の図柄が揃った状態を示し、（ｂ）は全リールＲ１、Ｒａ１、Ｒ２、Ｒｂ１、Ｒ３における中段の有効ラインＬ２上に７の図柄が全て揃った状態を示し、（ｃ）はメインリールユニットのリールＲ１、Ｒ２、Ｒ３の右上がりの有効ラインＬ４上にのみ７の図柄が揃った状態を示し、（ｄ）は全リールＲ１、Ｒａ１、Ｒ２、Ｒｂ１、Ｒ３の右上がりの有効ラインＬ４上に７の図柄が揃った状態を示し、（ｅ）は全リールＲ１、Ｒａ１、Ｒ２、Ｒｂ１、Ｒ３のＶ字ラインＬ６上に７の図柄が揃った状態を示している。
【図５】本発明に係るスロットマシンの他の実施の形態を示す正面図である。
【図６】図５に示したスロットマシン５００のフロントドア１０１を全開した状態を示す展開図である。
【図７】本発明に係るスロットマシンの他の実施形態を示す正面図である。
【図８】図７に示したスロットマシン７００のフロントドア１０１を全開した状態を示す展開図である。
【図９】図７に示したスロットマシン７００のブロック図の一例である。
【図１０】本発明に係るスロットマシンの他の実施形態を示す正面図である。
【図１１】図１０に示したスロットマシン１０００のフロントドア１０１を全開した状態を示す展開図である。
【図１２】図１０に示したスロットマシン１０００のブロック図の一例である。
【図１３】本発明に係るスロットマシンの他の実施形態を示す正面図である。
【図１４】図１３に示したスロットマシンの演出中若しくは告知中の正面図である
【図１５】図１３に示したスロットマシン１３００のフロントドア１０１を全開した状態を示す展開図である。
【図１６】図１４に示したスロットマシン１３００のフロントドア１０１を全開した状態を示す展開図である。
【図１７】（ａ）は図１５に示したメインリールユニット近傍の部分拡大図であり、（ｂ）は（ａ）のXVIIｂ−XVIIｂ線断面図であり、（ｃ）は（ｄ）のXVIIｃ−XVIIｃ線断面図であり、（ｄ）は図１６に示したメインリールがサブリール側に移動した状態を示す部分拡大図である。
【図１８】図１３に示したスロットマシン１３００のブロック図の一例である。
【符号の説明】
【００７６】
１００    スロットマシン
１０１    フロントドア
１０２    筐体
１０３    上部パネル部
１０３ａ、１０４ａ、１０４ｂ    演出用ランプ
１０３ｂ、１０３ｃ、１０５ｃ    演出用スピーカ
１０３ｄ    液晶表示装置
１０４    中部パネル部
１０４ｃ    操作部
１０５    下部パネル部
１０５ａ    排出口
１０５ｂ    受皿
【図１】
2007090002.tif 000003
【図２】
2007090002.tif 000004
【図３】
2007090002.tif 000005
【図４】
2007090002.tif 000006
【図５】
2007090002.tif 000007
【図６】
2007090002.tif 000008
【図７】
2007090002.tif 000009
【図８】
2007090002.tif 000010
【図９】
2007090002.tif 000011
【図１０】
2007090002.tif 000012
【図１１】
2007090002.tif 000013
【図１２】
2007090002.tif 000014
【図１３】
2007090002.tif 000015
【図１４】
2007090002.tif 000016
【図１５】
2007090002.tif 000017
【図１６】
2007090002.tif 000018
【図１７】
2007090002.tif 000019
【図１８】
2007090002.tif 000020